(57)【要約】【課題】給湯加圧ポンプによるサーモ水栓への給湯が良好に行われるようにした貯湯式給湯装置を提供する。【解決手段】給湯温度センサの検出温度がリモコンで設定された給湯設定温度になるように給湯混合弁を駆動制御する給湯制御部と、前記給湯管途中に設けられ湯水を昇圧して前記蛇口へ供給するための給湯加圧ポンプとを備えたもので、前記給湯制御部はリモコンで設定される給湯設定温度が、低温側から高温側に設定されると給湯加圧ポンプの回転数を下げるようにし、更に前記給湯設定温度が高温側から低温側へ切換られた時には、給湯加圧ポンプの回転数を直ぐには元の通常回転数に戻さない遅延手段を備えたので、配管内に残留する高温水が勢い良く給湯される危険が無く、しばらくは現状の給湯状態が維持され、違和感なく継続して安全に使用出来るものである。【選択図】図３
2010112594.tif 000002
【特許請求の範囲】
【請求項１】
湯水を貯湯する貯湯タンクと、この貯湯タンクへ水を供給する給水管と、前記貯湯タンクから湯を出湯する出湯管と、前記給水管から分岐された第１給水バイパス管と、前記出湯管からの湯と前記第１給水バイパス管からの水とを混合する給湯混合弁と、この給湯混合弁からの湯水を蛇口へ供給する給湯管と、この給湯管途中に設けられ給湯混合弁からの混合水の温度を検出する給湯温度センサと、前記給湯温度センサの検出温度がリモコンで設定された給湯設定温度になるように給湯混合弁を駆動制御する給湯制御部と、前記給湯管途中に設けられ湯水を昇圧して前記蛇口へ供給するための給湯加圧ポンプとを備えたものに於いて、前記給湯制御部はリモコンで設定される給湯設定温度が、低温側から高温側に設定されると給湯加圧ポンプの回転数を下げるようにし、更に前記給湯設定温度が高温側から低温側へ切換られた時には、給湯加圧ポンプの回転数を直ぐには元の通常回転数に戻さない遅延手段を備えた事を特徴とする貯湯式給湯装置。
【請求項２】
前記遅延手段は、給湯加圧ポンプの回転数を下げた給湯が一旦終了した事を給湯フローセンサが検出するまで、給湯設定温度が高温側から低温側へ切換られても、給湯加圧ポンプの回転数を元の通常回転数に戻さないように遅延する事を特徴とする請求項１記載の貯湯式給湯装置。
【請求項３】
前記遅延手段は、給湯設定温度が高温側から低温側へ切換られてから、所定時間をカウントするタイマー手段或いは、切換られてから給湯フローセンサで所定流量をカウントする所定流量カウンタで構成した事を特徴とする請求項１記載の貯湯式給湯装置。
【発明の詳細な説明】
【技術分野】
【０００１】
この発明は、給湯加圧ポンプを内蔵した貯湯式給湯装置に関するものである。
【背景技術】
【０００２】
従来よりこの種のものでは、給湯管途中に給湯加圧ポンプを備え、給湯栓の開栓で給湯加圧ポンプを駆動させ、貯湯タンク内の湯水を圧送して給湯することで、水道圧が極端に低い場所や２階、３階までの給湯でも良好に行われるようにしたものであった。（特許文献１参照）
【０００３】
【特許文献１】特開昭５８−４７９４７号公報
【発明の開示】
【発明が解決しようとする課題】
【０００４】
ところでこの従来のものでは、近年浴室などに設置されているサーモ水栓と給湯加圧ポンプを備えた給湯管とを接続した場合に、給湯圧が高いためにお湯側が多く出湯されるので、サーモ水栓自体で設定された温度より３〜５℃高い温度で給湯され、高温側の設定では予期しない高温の給湯により火傷をする危険も有するものであった。
【０００５】
又これを防止するために、給湯設定温度が５０℃以上の高温側への設定に切換られた時に、給湯加圧ポンプの回転数を下げることで、給湯圧を給水圧に近づけることで高温給湯を防止して、設定温度の給湯が行えるようにすることが考えられるが、給湯設定温度が高温側から低温側へ切換られた時に、給湯加圧ポンプの回転数も直ぐに元の通常回転数に戻すと、配管内に残留している高温水が、給湯加圧ポンプの回転数が元に戻ることによる給湯圧の上昇で給湯され、やはり火傷の危険を有すると言う新たな問題が発生するものであった。
【課題を解決するための手段】
【０００６】
この発明はこの点に着目し上記課題を解決するため、特にその構成を請求項１では、湯水を貯湯する貯湯タンクと、この貯湯タンクへ水を供給する給水管と、前記貯湯タンクから湯を出湯する出湯管と、前記給水管から分岐された第１給水バイパス管と、前記出湯管からの湯と前記第１給水バイパス管からの水とを混合する給湯混合弁と、この給湯混合弁からの湯水を蛇口へ供給する給湯管と、この給湯管途中に設けられ給湯混合弁からの混合水の温度を検出する給湯温度センサと、前記給湯温度センサの検出温度がリモコンで設定された給湯設定温度になるように給湯混合弁を駆動制御する給湯制御部と、前記給湯管途中に設けられ湯水を昇圧して前記蛇口へ供給するための給湯加圧ポンプとを備えたものに於いて、前記給湯制御部はリモコンで設定される給湯設定温度が、低温側から高温側に設定されると給湯加圧ポンプの回転数を下げるようにし、更に前記給湯設定温度が高温側から低温側へ切換られた時には、給湯加圧ポンプの回転数を直ぐには元の通常回転数に戻さない遅延手段を備えたものである。
【０００７】
又請求項２では、前記遅延手段は、給湯加圧ポンプの回転数を下げた給湯が一旦終了した事を給湯フローセンサが検出するまで、給湯設定温度が高温側から低温側へ切換られても、給湯加圧ポンプの回転数を元の通常回転数に戻さないように遅延するようにしたものである。
【０００８】
又請求項３では、前記遅延手段は、給湯設定温度が高温側から低温側へ切換られてから、所定時間をカウントするタイマー手段或いは、切換られてから給湯フローセンサで所定流量をカウントする所定流量カウンタで構成したものである。
【発明の効果】
【０００９】
以上のようにこの発明の請求項１によれば、２階、３階の給湯特にシャワーが強力な給湯圧で快適な給湯が行われることは勿論、サーモ水栓の使用でもリモコンの給湯設定温度を低温側から高温側に設定すると、給湯加圧ポンプの回転数を自動的に下げるようにして、給湯圧を低下させて給湯温度がサーモ水栓の設定温度以上になることを防止するので、サーモ水栓で設定した温度の給湯が得られると共に、火傷などの危険がなく安心して使用出来るものであり、更にこの給湯設定温度が高温側から低温側に切換られた時には、給湯加圧ポンプの回転数を直ぐには元の通常回転数には戻さない遅延手段を備えたので、配管内に残留する高温水が勢い良く給湯される危険が無く、しばらくは現状の給湯状態が維持され、違和感なく継続して安全に使用出来るものである。
【００１０】
又請求項２によれば、前記遅延手段は、給湯加圧ポンプの回転数を下げた給湯が一旦終了した事を給湯フローセンサが検出するまで、給湯設定温度が高温側から低温側へ切換られても、給湯加圧ポンプの回転数を元の通常回転数に戻さないように遅延するので、同じ給湯中では、給湯の勢いが途中で急激に変化することがなく、違和感や不信感を与える心配もなく、安心して使用出来るものである。
【００１１】
又請求項３によれば、前記遅延手段は、給湯設定温度が高温側から低温側へ切換られてから、所定時間をカウントするタイマー手段或いは、切換られてから給湯フローセンサで所定流量をカウントする所定流量カウンタで構成したので、配管内に残った高温の残水が完全に給湯されて無くなってから、給湯加圧ポンプの回転数が元の高回転数である通常回転数に戻され、安心、安全であると共に、高い給湯圧での良好な給湯が長い時間待つことなく、自動的に得られ極めて使用勝手が良いものであり、更に時間と流量なので、切換後に直ぐに給湯の停止と開始が繰り替えされた場合や、給湯停止後に別の蛇口が開口されても高温水が給湯される心配も無くより安全に使用出来るものである。
【発明を実施するための最良の形態】
【００１２】
次にこの発明一実施形態を付した貯湯式給湯装置について図面に基づいて説明する。
この貯湯式給湯装置は、時間帯別契約電力の電力単価が安価な深夜時間帯に湯水を沸き上げて貯湯し、この貯湯した湯水を給湯や風呂に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた蛇口、５はこの蛇口４の近傍に設けられた給湯リモコン、６は浴槽、７は浴室に設けられた風呂リモコンである。
【００１３】
前記貯湯タンクユニット１の貯湯タンク２は、上端に出湯管８と、下端に市水と連通した給水管９とが接続され、更に下部にヒーポン循環回路を構成するヒーポン往き管１０と、上部にヒーポン循環回路を構成するヒーポン戻り管１１とが接続され、前記ヒートポンプユニット３によってヒーポン往き管１０から取り出した貯湯タンク２内の湯水を沸き上げてヒーポン戻り管１１から貯湯タンク２内に戻して貯湯され、給水管９からの給水により貯湯タンク２内の湯水が押し上げられて貯湯タンク２内上部の高温水が出湯管８から押し出されて給湯されるものである。そして、給水管９途中には、市水の給水圧を所定の圧力まで減圧する減圧弁１２と給水温度を検出する給水温度センサ１３が設けられ、貯湯タンク２の上部には、貯湯タンク２内の過圧を逃す負圧作動弁付きの過圧逃し弁１４が設けられているものである。
【００１４】
前記ヒートポンプユニット３は、圧縮機１５と凝縮器としての冷媒−水熱交換器１６と電子膨張弁１７と強制空冷式の蒸発器１８で構成されたヒートポンプ回路１９と、貯湯タンク２内の湯水を前記ヒーポン往き管１０およびヒーポン戻り管１１を介して冷媒−水熱交換器１６に循環させるヒーポン循環ポンプ２０と、それらの駆動を制御するヒーポン制御部２１とを備えており、ヒートポンプ回路１９内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１５】
２２は前記浴槽６の湯水を加熱するためのステンレス製の蛇管よりなる熱交換器で、この熱交換器２２には風呂往き管２３及び風呂循環ポンプ２４を備えた風呂戻り管２５が接続されて浴槽６の湯水が循環可能にされ、浴槽６内の湯水が貯湯タンク２内の高温水により加熱されて保温あるいは追焚きが行われるものである。なお、２６は風呂戻り管２５を循環する浴槽６の湯水の温度を検出する風呂温度センサである。
【００１６】
２７は出湯管８からの湯水と給水管９から分岐された第１給水バイパス管２８からの低温水を混合する電動ミキシング弁より構成された給湯混合弁であり、その下流の給湯管２９に設けた給湯温度センサ３０で検出した湯温が給湯リモコン５や風呂リモコン７でユーザーが設定した給湯設定温度になるように混合比率を制御するものである。
【００１７】
３１は給湯管２９途中に設けられ湯水を昇圧して蛇口４へ供給するための給湯加圧ポンプであり、３２は給湯加圧ポンプ３１の吸い込み側に設けられた給湯管２９を逆流する流れを遮断する逆止弁、３３は時間当たりの給湯流量を検出して前記給湯加圧ポンプ３１の駆動を制御する給湯フローセンサである。
【００１８】
３４は出湯管８から分岐された湯張り管３５からの湯水と給水管９から分岐された第２給水バイパス管３６からの低温水とを混合する電動ミキシング弁より構成された風呂混合弁であり、その下流側の風呂戻り管２５に連通された湯張り管３５に設けた湯張り温度センサ３７で検出した湯温が給湯リモコン５や風呂リモコン７でユーザーが設定した風呂設定温度になるように混合比率を制御するものである。
【００１９】
そして、前記湯張り管３５には、浴槽６への湯張りの開始／停止を行う湯張り弁３８と、浴槽６への時間当たりの湯張り量を検出する風呂フローセンサ３９と、浴槽６からの浴槽水の逆流を防ぐ湯張り逆止弁４０が二重に設けられていると共に、前記風呂フローセンサ３９が所定湯張り量を検出することで、湯水を昇圧して湯張りする風呂加圧ポンプ４１が設けられているものである。
【００２０】
４２は貯湯タンク２の上下方向に複数個配置された貯湯温度センサで、この実施形態では５つの貯湯温度センサが配置され上から４２ａ、４２ｂ、４２ｃ、４２ｄ、４２ｅと呼び、この貯湯温度センサ４２が検出する温度情報によって、貯湯タンク２内にどれだけの熱量が残っているかを検知し、そして貯湯タンク２内の上下方向の温度分布を検知するものである。
【００２１】
前記給湯リモコン５及び風呂リモコン７には、給湯設定温度を設定する給湯温度設定スイッチ４３、及び風呂設定温度を設定する風呂温度設定スイッチ４４がそれぞれ設けられていると共に、浴槽６へ風呂設定温度の湯を風呂リモコン７の湯張り量設定スイッチ（図示せず）で設定された湯張り量だけ湯張りし所定時間保温させる風呂自動スイッチ４５がそれぞれ設けられ、更に風呂リモコン７には約６０℃の高温の湯を差し湯させる高温差し湯スイッチ４６が設けられているものである。
【００２２】
４７は給湯リモコン５及び風呂リモコン７共に設けられたポンプスイッチで、前記給湯加圧ポンプ３１と風呂加圧ポンプ４１を、それぞれ給湯フローセンサ３３と風呂フローセンサ３９の流量検出で駆動させるかさせないかを選択するスイッチであり、一回目の押圧で駆動させ、二回目の押圧では駆動させないようにするもので、使用者自身が選択出来るようにしたものである。
【００２３】
４８は貯湯タンクユニット１内の各センサの入力を受け各アクチュエータの駆動を制御するマイコンを有し制御部を構成する給湯制御部である。この給湯制御部４８に前記給湯リモコン５及び風呂リモコン７が無線または有線により接続されユーザーが任意の給湯設定温度及び風呂設定温度を設定できるようにしているものである。
４９は蛇口４と同様に給湯管２９と接続すると共に、市水の水道管５０とも接続して浴室内に設置されたサーモ水栓で、給湯温度が設定出来る操作部（図示せず）を備え、温度に応じて変位するサーモバルブで独自で設定温度の給湯を行うものである。
【００２４】
前記給湯制御部４８は、給湯温度センサ３０の検出する温度が給湯設定温度になるように給湯混合弁２７の弁開度をフィードバック制御するようにしていると共に、湯張り温度センサ３７の検出する温度が風呂設定温度になるように風呂混合弁３４の弁開度をフィードバック制御するようにしているものである。
【００２５】
又電気回路的には、給湯制御部４８の入力側には給湯リモコン５及び風呂リモコン７、給湯フローセンサ３３と風呂フローセンサ３９が接続され、出力側には給湯加圧ポンプ３１と風呂加圧ポンプ４１が接続され、給湯フローセンサ３３と風呂フローセンサ３９の検出流量により給湯制御部４８が分当たりの流量を算出し、所定流量ここでは３Ｌ／ｍｉｎで給湯加圧ポンプ３１及び風呂加圧ポンプ４１を駆動させるものであり、更に給湯加圧ポンプ３１は給湯リモコン５及び風呂リモコン７の給湯温度設定スイッチ４３によって、給湯設定温度が低温側から高温側である５０℃以上の設定されると、給湯制御部４８が自動的に通常回転数３０００ｒｐｍから半分の１５００ｒｐｍの回転数に切換て、給湯圧を通常の給水元圧２００ｋＰａと同等まで低下させ、サーモ水栓４９がらの給湯が良好に行われるようにするものである。
【００２６】
更に前記給湯制御部４８には、給湯設定温度が低温側から高温側である５０℃以上の設定され、給湯加圧ポンプ３１の回転数を通常回転数３０００ｒｐｍから半分の１５００ｒｐｍの回転数に切換て給湯中に、給湯温度設定スイッチ４３が高温側から低温側に切換られた時、給湯加圧ポンプ３１の回転数を直ぐには元の通常回転数３０００ｒｐｍには戻さないようにする遅延手段５１が設けられ、ここでは、給湯中を検出している給湯フローセンサ３３が給湯流量０Ｌ／ｍｉｎを検出したことを条件に、即ち給湯が一旦停止した後、次の給湯開始から給湯加圧ポンプ３１の回転数を通常回転数３０００ｒｐｍの設定に戻すものであり、これにより給湯中に給湯圧が急激に変わって、配管内の高温水が多量に給湯される危険を防止すると共に、違和感や不信感を使用者に与えないようにしているものである。
【００２７】
次にこの一実施形態の作動を説明する。
先ず、沸き上げ運転について説明すると、深夜電力時間帯になって貯湯温度センサ４２が貯湯タンク２内に翌日に必要な熱量が残っていないことを検出すると、給湯制御部４８はヒーポン制御部２１に対して沸き上げ開始指令を発する。指令を受けたヒーポン制御部２１は圧縮機１５を起動した後にヒーポン循環ポンプ２０を駆動開始し、貯湯タンク２下部に接続されたヒーポン往き管１０から取り出した５〜２０℃程度の低温水を冷媒−水熱交換器１６で７０〜９０℃程度の高温に加熱し、貯湯タンク２上部に接続されたヒーポン戻り管１１から貯湯タンク２内に戻し、貯湯タンク２の上部から順次積層して高温水を貯湯していく。貯湯温度センサ４２が必要な熱量が貯湯されたことを検出すると、給湯制御部４８はヒーポン制御部２１に対して沸き上げ停止指令を発し、ヒーポン制御部２１は圧縮機１５を停止すると共にヒーポン循環ポンプ２０も停止して沸き上げ動作を終了するものである。
【００２８】
次に浴槽６への湯張り運転について説明すると、給湯リモコン５又は風呂リモコン７のポンプスイッチ４７の何れかを押圧した後に、風呂自動スイッチ４５の何れかが操作されると、給湯制御部４８が湯張り弁３８を開弁する。そして、給水管９からの給水が貯湯タンク２内に流れ込む。そして出湯管８と湯張り管３５を介して風呂混合弁３４へ貯湯タンク２内の湯水が押し出され、第２給水バイパス管３６からの低温水と混合され、給湯制御部４８が風呂混合弁３４の混合比率を調整し、風呂設定温度の湯が湯張り管３５から風呂戻り管２５を介して浴槽６へ湯張りされる。そして、この湯張り管３５による湯張りで、風呂フローセンサ３９がこの湯張りで３Ｌ／ｍｉｎの流量を検出し、給湯制御部４８を介し風呂加圧ポンプ４１を駆動開始させ、２階や３階に設置された浴槽６へも強力な給湯圧で良好な湯張りが行え、湯張り時間も短縮されるものである。
【００２９】
次に給湯運転について説明すると、給湯リモコン５又は風呂リモコン７のポンプスイッチ４７の何れかを押圧した後に、蛇口４を開くと、給水管９からの給水が貯湯タンク２内に流れ込む。そして貯湯タンク２の上部に貯められた高温水が出湯管８を介して給湯混合弁２７へ押し出される。なお、貯湯タンク２内には上部に高温水、下部に低温水が貯められることとなるが、その温度差により比重差が発生し、温度境界層を形成して比重の軽い高温水が上部に、比重の重い低温水が下部に位置するので、互いに混じり合うことはないものである。
【００３０】
ここで、給湯制御部４８は出湯管８からの湯水と、第１給水バイパス管２８からの低温水を混合して、給湯リモコン５又は風呂リモコン７で設定された給湯設定温度となるように給湯混合弁２７を適当な比率に調整し、給湯設定温度の湯が蛇口４或いはサーモ水栓４９から給湯されるが、これを図３のフローチャートに示すように、給湯開始でステップ５２では給湯フローセンサ３３が３Ｌ／ｍｉｎの流量検出したかを判断し、ＹＥＳでステップ５３に進みリモコン５、７の給湯温度設定スイッチ４３による給湯温度設定が低温側から５０℃以上の高温側に切換られたかを判断し、ＹＥＳではステップ５４に進み給湯加圧ポンプ３１を通常回転数の半分の１５００ｒｐｍで駆動して給湯するものであり、又給湯温度設定が５０℃未満の低温側の設定でＮＯでは、ステップ５５に進み給湯加圧ポンプ３１を通常回転数の３０００ｒｐｍで駆動させて強力な給湯圧で快適な給湯を行うものである。
【００３１】
これにより、２階、３階の給湯特にシャワーが強力な給湯圧で快適な給湯が行われることは勿論、サーモ水栓４９の使用でもリモコン５、７の給湯設定温度を高温側に設定すると、給湯加圧ポンプ３１の回転数を自動的に下げるようにして、給湯圧を給水元圧２００ｋＰａと同等まで低下させて給湯温度がサーモ水栓４９の設定温度以上になることを防止するので、サーモ水栓４９で設定した温度の給湯が得られると共に、火傷などの危険がなく安心して使用出来るものである。
【００３２】
次に上記のステップ５４で給湯中に給湯温度設定スイッチ４３が高温側から低温側に切換られた場合を、図３のフローチャートに従って続けて説明すると、ステップ５４に続きステップ５６で給湯温度設定スイッチ４３による給湯温度設定が高温側から、５０℃未満の低温側に切換られたかを判断し、ＹＥＳで遅延手段５１が作動してステップ５７に進み給湯フローセンサ３３が、給湯流量０Ｌ／ｍｉｎを検出して、ステップ５８で給湯を一旦停止させた後、次のステップ５９で給湯フローセンサ３３が３Ｌ／ｍｉｎの流量検出して給湯の再開を検知後に、ステップ６０に進みここで初めて給湯加圧ポンプ３１の回転数を半分の１５００ｒｐｍから、元の通常回転数３０００ｒｐｍで駆動させるものである。
【００３３】
このように、遅延手段５１により給湯加圧ポンプ３１の回転数を下げた給湯が一旦終了した事を給湯フローセンサ３３が検出するまで、給湯設定温度が高温側から低温側へ切換られても、給湯加圧ポンプ３１の回転数を元の通常回転数に戻さないように遅延するので、同じ給湯中では、給湯の勢いが途中で急激に変化することがなく、違和感や不信感を与える心配もなく、安心して使用出来るものである。
【００３４】
次に他の実施形態を図４、５で説明するが、前記した一実施形態と同一部分は同一符号を付し説明を省略し相違部分のみ説明すると、図４に示すように電気回路的には、遅延手段５１をタイマー手段６１で構成したものであり、詳細は図５のフローチャートで説明すれば、ステップ５４に続きステップ５６で給湯温度設定スイッチ４３による給湯温度設定が高温側から、５０℃未満の低温側に切換られたかを判断し、ＹＥＳでステップ６２に進みタイマー手段６１が前記切換からスタートしたカウントが、所定時間の１０分をカウントしたか経過したかを判断し、ＹＥＳでステップ６３に進んで給湯加圧ポンプ３１の回転数を半分の１５００ｒｐｍから、元の通常回転数３０００ｒｐｍで駆動させるものであり、図示していないが、このタイマー手段６１による所定時間のカウントは、途中で給湯が停止されても継続され、高温水の温度が完全に低下してから給湯加圧ポンプ３１の通常回転数での給湯を可能とするものである。
【００３５】
次に更に他の実施形態を図６、７で説明するが、前記同様に一実施形態と同一部分は同一符号を付し説明を省略し相違部分のみ説明すると、図６に示すように電気回路的には、遅延手段５１を所定流量カウンタ６４で構成したものであり、詳細は図７のフローチャートで説明すれば、ステップ５４に続きステップ５６で給湯温度設定スイッチ４３による給湯設定温度が高温側から、５０℃未満の低温側に切換られたかを判断し、ＹＥＳでステップ６５に進み所定流量カウンター６４が、給湯フローセンサ３３による流量カウントを積算して６Ｌをカウントしたかを判断し、ＹＥＳでステップ６６に進んで給湯加圧ポンプ３１の回転数を半分の１５００ｒｐｍから、元の通常回転数３０００ｒｐｍで駆動させるものであり、図示していないが、この所定流量カウンタ６４は途中で給湯が一旦停止しても、途中までのカウントを記憶していて再給湯でカウントも再開し、高温水が完全になくなった所で給湯加圧ポンプ３１を通常回転数で駆動させるものである。
【００３６】
これにより、給湯設定温度が高温側から低温側へ切換られてから、所定時間をカウントするタイマー手段或いは、切換られてから給湯フローセンサで所定流量をカウントする所定流量カウンタで構成したことで、配管内に残った高温の残水が完全に給湯されて無くなってから、給湯加圧ポンプの回転数が元の高回転数である通常回転数に戻され、安心、安全であると共に、高い給湯圧での良好な給湯が長い時間待つことなく、自動的に得られ極めて使用勝手が良いものであり、更に時間と流量なので、切換後に直ぐに給湯の停止と開始が繰り替えされた場合や、給湯停止後に別の蛇口が開口されても高温水が給湯される心配も無くより安全に使用出来るものである。
【図面の簡単な説明】
【００３７】
【図１】この発明の一実施形態を示す貯湯式給湯装置の概略構成図。
【図２】同電気回路の要部ブロック図
【図３】同要部のフローチャート。
【図４】遅延手段をタイマー手段とした他の実施形態の電気回路の要部ブロック図
【図５】図４に対応した要部のフローチャート。
【図６】遅延手段を所定流量カウンタとした他の実施形態の電気回路の要部ブロック図
【図７】図６に対応した要部のフローチャート。
【符号の説明】
【００３８】
２  貯湯タンク
４  蛇口
５  給湯リモコン
７  風呂リモコン
８  出湯管
９  給水管
２７  給湯混合弁
２８  第１給水バイパス管
２９  給湯管
３０  給湯温度センサ
３１  給湯加圧ポンプ
３３  給湯フローセンサ
４３  給湯温度設定スイッチ
４８  給湯制御部
４９  サーモ水栓
５１  遅延手段
６１  タイマー手段
６４  所定流量カウンタ
【図１】
2010112594.tif 000003
【図２】
2010112594.tif 000004
【図３】
2010112594.tif 000005
【図４】
2010112594.tif 000006
【図５】
2010112594.tif 000007
【図６】
2010112594.tif 000008
【図７】
2010112594.tif 000009